(57)【要約】      （修正有）【課題】日光を遮断すると同時に通気性を十分に確保することによりコート内側の温度上昇を抑えることのできるフード付き日除けコートを提供する。【解決手段】日光を遮断する日除け板１を垂直方向のテープ状の吊り下げ材２で支えることにより日光の遮断と同時に通気性を確保した。日除け板はスポンジもしくはそれと同様の素材を使用しコート内部の温度上昇を抑え、かつ着心地の良さを確保した。さらに、日除け板の端の身体に接する側にくびれを設け、通気性をさらに高め、熱の放射を促した。【選択図】図１
0003195868.tif 000002
【実用新案登録請求の範囲】
【請求項１】
水平方向かつ蛇腹状に配置した日光を遮断する横長の日除け板とそれらの日除け板を支えるために垂直方向に設けたテープ状の吊り下げ材で構成されたフード付き日除けコート。
【請求項２】
前記日除け板は断熱効果に優れた薄いスポンジ状素材もしくはそれと同様の伸縮性のある材を使用し、その日除け板は薄い生地で覆われている。前記日除け板は地面に対して斜めに差込む日光を効率よく反射するようコート着用時に地面に対してその面が約４５度になるように吊り下げられている。さらに日除け板と日除け板の間から外気を十分に取り込んだり排気したりできるように日除け板間の間隔を十分に確保している。さらに前記日除け板の素材を覆う生地は日光の差込む側の面に明るい色の生地を使用し反射効率をよくしている。逆に日除け板の日光差込み面の裏側を覆う生地は光を吸収するように暗い色の生地を使用する。前記日除け板と吊下げ材で構成されたフード付き日除けコート。
【請求項３】
前記日除け板の端の部分の身体に接する側にくびれを設ける。このくびれ部分があることによりコート着用者の皮膚表面と日除け板との間に十分な通気空間が確保され、高温の空気が排気され皮膚表面の温度上昇を抑えることができる。また、日除け板の板の短い方向に若干湾曲させそれにより日除け板の長い方向のたわみを回避させる、そして日除け板の長い方向側の形を着用者のボティーラインに沿って湾曲させる。さらに日除け板及び日除け板を吊り下げるテープ状の材は柔軟な素材及び生地で構成されているため着心地の良いコートとなっている。前記除け板、及び吊り下げ材にて構成されたフード付き日除けコート。
【考案の詳細な説明】
【技術分野】
【０００１】本考案は、フード付き日除けコートに関する。
【背景技術】
【０００２】従来の日除け帽やコートは日光を遮断するために布地等で皮膚を覆う方法で構成されている（特許文献１参照）。【０００３】しかしながら、従来の日除け帽子やコートでは十分な通気性の確保ができていないため帽子やコートなどで覆われた身体の皮膚表面の温度が高くなる欠点があった。
【先行技術文献】
【特許文献】
【特許文献１】特開２０１２−４６８５８（Ｐ２０１２−４６８５８Ａ）
【考案の概要】
【考案が解決しようとする課題】
【０００４】本考案は以上のような従来の欠点に鑑み、日光を遮断すると同時に通気性を十分に確保できる構造とし、熱をコートやフードの外に逃がし、コートやフード内側の温度上昇を抑えるようにしたフード付きコートを提供することを課題とする。
【課題を解決するための手段】
【０００５】上記目的を達成するために、本考案は、日光を遮断する日除け板を垂直方向のテープ状の吊り下げ材で支えることにより日光の遮断と同時に通気性を確保することができるようにした。それにより日除けコートの内側に熱がたまらないようになった。日除け板はスポンジもしくはそれと同様の素材を使用し、表面を薄い生地で覆い柔軟性に富むものとし、着心地が良くなるようにした。さらに日除け板を覆う生地は外側面を明るい色とすることにより効率よく日光を反射するようにし、また内側面の生地を暗い色とし、不用な光を吸収するようにした。さらに日除け板の端、身体に接する側にくびれ部分を設け、皮膚表面の温度の高い空気が上下、左右、外方向に自由に逃げるよにした。
【考案の効果】
【０００６】以上の説明から明らかなように、本考案にあっては次に列挙する効果が得られる。
（１）  請求項１の構成要件の日除け板により日光を遮断することができる。【０００７】（２）  請求項２の構成要件の日除け板が蛇腹状に配置してあるため通気性が確保され皮膚表面の温度の上昇を抑えることができる。【０００８】（３）  請求項３の構成要件の日除け板のくびれにより通気性のさらなる向上が得られ効率よく皮膚表面の温度上昇を抑えることができる。【０００９】（４）  請求項２の構成要件の日除け板の日光差込側面を覆う生地の色を明るい色にすることにより能率よく日光を反射することができる。またその日除け板の日光差込面の裏面を覆う生地の色を暗い色にすることによりコートの内側の光を吸収することができ皮膚表面の温度上昇を抑えることができる。【００１０】（５）  請求項２の構成要件の日除け板を薄いスポンジもしくはそれと同様の素材を薄い生地で覆い柔軟性を確保した。
それにより快適な着心地を提供できる。
【図面の簡単な説明】
【図１】フード付き日除けコートの斜視図である。
【図２】日除け板と吊り下げ材の拡大図である。
【図３】日除け板の断面図である。
【考案を実施するための形態】
【実施例】
【実施例１】
【００１１】図２は、本考案の実施例１であって、日除け板と吊り下げ材の拡大図である。このフード付き日除けコートの日除け板１は断熱性が高くかつ伸縮性のあるスポンジもしくはそれと同様の素材を使用して構成され、また日除け板１は地面に対して約４５度の角度になるように吊り下げ材にて支えられ、また日除け板どうしは十分な通気を確保するための適切な間隔で配置することが最良の形態となる。さらに日除け板１の外側面、図３の１ｂを覆う生地に明るい色を用い、日除け板の内側面図３の１ｃを覆う生地を暗い色とすることによりコートの内側の温度上昇を抑えることができる。また、図３の日除け板の断面図の１ａに示す、日除け板くびれ部分を設けることにより通気性が向上され４の空気の流れが生じ放熱が生じ温度上昇が抑えられ、適切な温度が確保され快適にこのフード付き日除けコートを使用すること  ができる。【００１２】図１は、本考案の実施例１の斜視図であって、フード付き日除けコートの技術を使用し、フード部分では頭部、顔面、首筋に差込む日光を遮断できる。さらにコートの部分で肩、腕、手の甲、胴さらに下半身に差込む日光を遮断することができる。
【産業上の利用可能性】
【００１３】本考案は野外で作業を行う人の日除け対策用の作業服として利用できる。【００１４】本考案は野外でのスポーツをする人の日除け用のスポーツウエアーとして利用できる。【００１５】本考案は直射日光等に対して敏感な肌をもっている人の外出時の日除け対策として利用できる。
【符号の説明】１              日除け板
１ａ            日除け板くびれ部分
１ｂ            日除け板外側面
１ｃ            日除け板内側面
２              吊り下げ材
３              日差し方向
４              空気の流れ
【図１】
0003195868.tif 000003
【図２】
0003195868.tif 000004
【図３】
0003195868.tif 000005
【手続補正書】
【提出日】平成26年4月14日(2014.4.14)
【手続補正１】
【補正対象書類名】実用新案登録請求の範囲
【補正対象項目名】全文
【補正方法】変更
【補正の内容】
【実用新案登録請求の範囲】
【請求項１】
水平方向かつ一定間隔に配置した日光を遮断する横長の日除け板とそれらの日除け板を支えるために垂直方向に設けたテープ状の吊り下げ材で構成されたフード付き日除けコート。
【請求項２】
日除け板は断熱効果に優れた薄いスポンジ状素材もしくはそれと同様の伸縮性のある材を使用し、その日除け板は薄い生地で覆い、日除け板は地面に対して斜めに差込む日光を効率よく反射するようコート着用時に地面に対してその面が約４５度になるように吊り下げ、さらに日除け板と日除け板の間から外気を十分に取り込んだり、熱い空気を排気したりできるように日除け板間の間隔を十分に確保している、さらに日除け板の素材を覆う生地は日光の差込む側の面に明るい色の生地を使用し、反射効率をよくし、逆に日除け板の日光差込み面の裏側を覆う生地は光を吸収するように暗い色の生地を使用することを特徴とする請求項１に記載のフード付き日除け付コート。
【請求項３】
日除け板の短い方向の端の部分の身体に接する側にくびれを設け、このくびれ部分があることによりコート着用者の皮膚表面と日除け板との間に十分な通気空間が確保され、高温の空気が排気され皮膚表面の温度上昇を抑えることを可能とし、また、日除け板の短い方向を若干湾曲させそれにより日除け板の長い方向のたわみを回避させる、そして日除け板の長い方向側の形を着用者のボティーラインに沿って湾曲させ、さらに日除け板及び日除け板を吊り下げるテープ状の材は柔軟な素材及び生地で構成されているため着心地の良いコートとすることを特徴とする請求項１または２に記載のフード付き日除けコート。